(57)【要約】【課題】収納したオイルと空気の接触を完全に遮断することができる酸化防止用オイルポットを提供する。【解決手段】上部が開放したオイル収納容器１内に挿入する蓋部材２が、オイル油面に対して浮上する浮力のフロート３と、このフロート３の外周に設けられ、外径が変化する径方向の伸縮性を有するシール部４ｂを備え、この蓋部材２に設けた拡径機構５の拡径時にシール部４ｂの外周をオイル収納容器１の内周に弾力的に圧接させ、また、前記拡径機構５を拡径弾性に抗して縮径状態に係止することでオイル収納容器１内に対する蓋部材２の抜き差しが可能となる。【選択図】図１
2012090673.tif 000002
【特許請求の範囲】
【請求項１】
上部が開放したオイル収納容器と、このオイル収納容器内に上下への移動が可能となるよう挿入し、このオイル収納容器内を密閉するための蓋部材とからなり、
前記蓋部材は、オイル油面に対して浮上する浮力と、外径が変化する径方向の伸縮性を有するシール部材を備え、
この蓋部材に、外周の配置径が拡径及び縮径自在となり、拡径時にシール部材の外周をオイル収納容器の内周に弾力的に圧接させる拡径機構と、前記拡径機構を拡径弾性に抗して縮径状態に係止し、係止を解くことで拡径機構を拡径させる縮径保持機構を設けた酸化防止用オイルポット。
【請求項２】
上記蓋部材は、下面側に突出する円錐形のフロートと、前記フロートの上部に位置し、伸縮性材料を用いて平面円板状に形成され、拡径状態で外周がオイル収納容器の内周に圧接してオイル収納容器内を密閉するシール部材とからなり、
上記拡径機構は、フロートの上面とシール部材の間に組み込まれ、平面円形のリング状に配置した複数枚の羽根板を半径方向に移動させることによりリング状配置の外径が変化し、縮径状態でシール部材の押し広げを解き、拡径状態でシール部材を押し広げる羽根板リングと、各羽根板に常時半径方向の外方に向けての移動弾性を付勢するスプリングで形成され、
上記縮径保持機構は、フロートの上面にシール部材を貫通するよう突設した筒体の上端に、上昇位置と下降位置に係止可能となる操作摘みを設け、この操作摘みと上記各羽根板を、操作摘みの上昇位置で各羽根板を半径方向内側に引圧して拡径機構の縮径状態を保持し、操作摘みの下降位置で各羽根板の引圧を解いて拡径機構を拡径させるように可撓性連結部材で連結して形成されている請求項１に記載の酸化防止用オイルポット。
【請求項３】
上記蓋部材のフロートによって得られる浮力は、オイル収納容器内のオイル油面に対して蓋部材が浮上する状態で、シール部材の外周下部がオイル油面に一致するように設定されている請求項１又は２に記載の酸化防止用オイルポット。
【発明の詳細な説明】
【技術分野】
【０００１】
この発明は、オイル収納容器内に収容して保存するオイルを空気に触れないように密閉し、空気による劣化の発生を防ぐことができる酸化防止用オイルポットに関する。
【背景技術】
【０００２】
食用油等のオイルは、オイルポットに入れて保存するのが一般的であるが、オイルは空気に触れると酸化して時間の経過と共に劣化するという性質があり、このため、オイルを空気から遮断して収容保存することができるようにするための酸化防止用オイルポットが提案されている。
【０００３】
従来の酸化防止用オイルポットは、オイルを収容するポット本体と該ポット本体内に上下動自在に配置された蓋部材とを有し、上記蓋部材の周面には少なくとも３個のボ−ルを自由回転可能に設け、且つ蓋部材の中心部にはオイル流入口を形成し、該流入口には下方から塞ぐ内栓を配置し、該内栓には流入口を貫通して蓋部材の上方へ突出するつまみを形成し、上記ポット本体内側周面には上記ボ−ルに係合する案内溝を上下方向に形成するとともに、上記蓋部材と内栓の比重をオイルの比重よりも小さく、且つ内栓の比重を蓋部材よりも大きく設定した構造になっている（例えば、特許文献１参照）。
【０００４】
上記酸化防止用オイルポットは、オイルと蓋部材及び内栓の比重を利用し、蓋部材が挿入されているポット本体内に蓋部材の上からオイルが充填されると、オイルは内栓よりも比重が大きいので、オイル流入口と内栓の隙間から蓋部材の下面側に流入して蓋部材が上昇し、内栓は蓋部材より比重が大きいので流入口からオイルが全て入った後、上昇力で流入口を自動的に塞ぎ、これによって、空気とオイルの接触を蓋部材で遮断しようとするものである。
【先行技術文献】
【特許文献】
【０００５】
【特許文献１】実用新案登録第３０２２２８７号公報
【発明の概要】
【発明が解決しようとする課題】
【０００６】
ところで、上記した従来の酸化防止用オイルポットは、蓋部材を浮力によって上下動させることになるが、蓋部材は、ポット本体に対して水平状態で円滑に上下動できなければ「こじれ」が生じ、「こじれ」が生じて蓋部材が傾くと、油面と蓋部材の下面の間にある空気層を確実に排出することができず、オイルの酸化防止の目的を達成することができないと共に、ポット本体に対して蓋部材を浮力だけで円滑に上下動させようとすると、その外周とポット本体の内周面との水密性の確保が困難になり、構造上どうしても蓋部材の外周とポット本体の内周面に隙間が必要となり、この隙間によってオイルの酸化防止機能が低下するという問題がある。
【０００７】
また、蓋部材は単純な円板状であるため、その下面とオイル油面上との間の空気を流入口に逃がす機能はなく、このためオイル油面上との間に気泡が生じたような場合、この気泡が閉じ込められ、オイルが酸化するという問題がある。
【０００８】
更に、流入口を閉じる内栓の閉鎖力はオイルに対する浮力を利用しているため、流入口を密閉するという機能はなく、実際には流入口と内栓の間にオイルが介在し、この介在したオイルが蓋部材の上面で空気と接触することになり、これが原因でオイルが酸化することになる。
【０００９】
そこで、この発明の課題は、オイル収納容器内に挿入した蓋部材を油面の上に浮上させた状態で、この蓋部材の外周シール部を拡径させてシールすることにより、オイル収納容器を密閉する蓋部材の下面から確実に空気を排除し、収納したオイルと空気の接触を完全に遮断した密閉状態が得られる酸化防止用オイルポットを提供することにある。
【課題を解決するための手段】
【００１０】
上記の課題を解決するため、この発明は、上部が開放したオイル収納容器と、このオイル収納容器内に上下への移動が可能となるよう挿入し、このオイル収納容器内を密閉するための蓋部材とからなり、前記蓋部材は、オイル油面に対して浮上する浮力と、外径が変化する径方向の伸縮性を有するシール部材を備え、この蓋部材に、外周の配置径が拡径及び縮径自在となり、拡径時にシール部材の外周をオイル収納容器の内周に弾力的に圧接させる拡径機構と、前記拡径機構を拡径弾性に抗して縮径状態に係止し、係止を解くことで拡径機構を拡径させる縮径保持機構を設けたものである。
【００１１】
上記蓋部材は、下面側に突出する円錐形のフロートと、前記フロートの上部に位置し、伸縮性材料を用いて平面円板状に形成され、拡径状態で外周がオイル収納容器の内周に圧接してオイル収納容器内を密閉するシール部材とからなり、上記拡径機構は、フロートの上面とシール部材の間に組み込まれ、平面円形のリング状に配置した複数枚の羽根板を半径方向に移動させることによりリング状配置の外径が変化し、縮径状態でシール部材の押し広げを解き、拡径状態でシール部材を押し広げる羽根板リングと、各羽根板に常時半径方向の外方に向けての移動弾性を付勢するスプリングで形成され、上記縮径保持機構は、フロートの上面にシール部材を貫通するよう突設した筒体の上端に、上昇位置と下降位置に係止可能となる操作摘みを設け、この操作摘みと上記各羽根板を、操作摘みの上昇位置で各羽根板を半径方向内側に引圧して拡径機構の縮径状態を保持し、操作摘みの下降位置で各羽根板の引圧を解いて拡径機構を拡径させるように可撓性連結部材で連結して形成されている構造とすることができる。
【００１２】
上記蓋部材のフロートによって得られる浮力は、オイル収納容器内のオイル油面に対して蓋部材が浮上する状態で、シール部材の外周下部がオイル油面に一致するように設定されているようにしてもよい。
【００１３】
ここで、上記オイル収納容器は、周壁が円筒状となる有底容器に形成され、前記周壁の内径と上記蓋部材に設けたシール部材の外径の関係は、シール部材が縮径状態にあるとき周壁の内径よりも小径となり、オイル収納容器に対する蓋部材の出し入れを自由にしていると共に、シール部材は最大拡径の途中で周壁の内径に圧接し、周壁内を密閉するように設定されている。
【００１４】
上記蓋部材におけるフロートは、外径が上記周壁の内径よりも小径となる内部中空の円錐形に形成され、下向きの円錐形にすることで、オイル収納容器内の油面に浮上させたとき、下部尖端からオイルに浸入することでオイルとの間にある空気を上部外周に逃がすことができ、これにより、オイルとの界面に空気が残置することのないようにできる。
【００１５】
上記シール部材は、ゴムやシリコンのような伸縮性のある弾性材料を用い、上記フロートの外側全体を包むような比較的薄い膜状の構造になっており、フロートの円錐面に重なる円錐部分と、この円錐部分の外周から立ち上がる筒状のシール部分と、前記シール部分の上端と連なってフロートの上面を覆う円板状の上板とで形成され、前記筒状のシール部分がフロートの外周に位置している。
【００１６】
上記拡径機構の羽根板リングは、フロートの上面とシール部材における上板の間に確保した隙間に納まり、この羽根板リングの形成に用いる羽根板は、平面扇形で内径側に低い立ち上がり片を設けた形状を有し、複数枚の羽根板を一部が重なるように平面円形のリング状に配置し、前記羽根板に設けた半径方向の長孔と、この長孔に嵌るようフロートの上面に設けたガイドピンによって、各羽根板の半径方向の移動を誘導するようにしている。
【００１７】
上記フロートの上面中央にシール部材の上板を貫通するよう突設した筒体の外周と、各羽根板の立ち上がり片の間にスプリングを縮設することにより、各羽根板に半径方向外側に向けての移動弾性を付勢し、羽根板リングが拡径するようになっている。
【００１８】
この羽根板リングが拡径すると、各羽根板は外周縁でシール部材のシール部を内側から押し広げ、前記シール部を拡径状態にする。
【００１９】
上記縮径保持機構は、フロートの上面にシール部材を貫通するよう突設した筒体の上端に凹欠部を設け、この筒体の上部に上下動と回転が可能となるよう挿入した操作摘みに係止ピンを設け、操作摘みを引上げて係止ピンを筒体の上端に位置させた上昇位置と、係止ピンを凹欠部に落とし込んだ下降位置とにすることができる。
【００２０】
上記操作摘みは、ワイヤーや紐を用いて各羽根板の立ち上がり片と連結され、操作摘みが上昇位置にあるとき各羽根板は半径方向内側に引圧され、羽根板リングは縮径状態に保持され、係止ピンを凹欠部に落とし込んだ下降位置にすると、各羽根板の引圧が解かれることで羽根板リングは拡径することになる。
【発明の効果】
【００２１】
この発明によると、オイル収納容器内に挿入した蓋部材をオイル油面に対して浮上させた状態で、操作摘みを下降位置にするとシール部が自動的に拡径し、オイル収納容器の内周にシール部を圧着させ、オイル収納容器内を蓋部材で弾力的に密閉することで、オイル収納容器内のオイルを空気と完全に遮断することができ、オイル収納容器内に収納したオイルの酸化による劣化発生を確実に防ぐことができる。
【００２２】
また、蓋部材におけるフロートを下向きの円錐形にすることで、蓋部材をオイル収納容器内の油面に浮上させたとき、下部尖端からオイルに浸入することでオイル油面との間にある空気を上部外周に逃がすことができ、これにより、オイルとの界面に空気や気泡が残置することがなく、オイルの酸化による劣化発生をより確実に防ぐことができる。
【００２３】
更に、蓋部材におけるフロートの浮力を、オイル収納容器内のオイル油面に対して蓋部材が浮上する状態で、シール部材の外周下部がオイル油面に一致するように設定することで、シール部の拡径によるシール時に、シール部分に空気が残置したり閉じ込めることがなく、空気を確実になくしてオイルの酸化による劣化発生を防ぐことができる。
【図面の簡単な説明】
【００２４】
【図１】この発明に係る酸化防止用オイルポットを示し、オイル収納容器内に挿入した蓋部材を押し下げる前の状態の要部を切り欠いた正面図
【図２】この発明に係る酸化防止用オイルポットを示し、オイル収納容器内を挿入した蓋部材で密閉した状態の要部を切り欠いた正面図
【図３】この発明に係る酸化防止用オイルポットを示し、オイル収納容器内を挿入した蓋部材で密閉した状態の要部を拡大した縦断正面図
【図４】図１の矢印IV−IVに沿って拡大した横断平面図
【図５】図２の矢印Ｖ−Ｖに沿って拡大した横断平面図
【図６】羽根板リングの形成に用いる羽根板を示す分解斜視図
【発明を実施するための形態】
【００２５】
以下、この発明の実施の形態を図示例に基づいて説明する。
【００２６】
図１乃至図３のように、この発明の酸化防止用オイルポットＡは、ガラス、金属、プラスチック、陶器等を材料に用い、上部が開放した周壁１ａが円筒状となる有底状のオイル収納容器（オイルポット）１と、このオイル収納容器１内に挿入し、オイル収納容器１内を密閉する蓋部材２との組み合わせによって形成されている。
【００２７】
図示の場合、オイル収納容器１における周壁１ａの上端は、外側に向けて広がる傾斜部１ｂとし、周壁１ａ内に対する蓋部材２の挿入を容易にしていると共に、このオイル収納容器１は不透明材料で形成するのが好ましいが、例えば、周壁１ａの一部を透明に形成するようにすれば、収納したオイルａの油面確認が容易となる。
【００２８】
上記蓋部材２は、オイル収納容器１内のオイル油面に対して浮上する浮力のフロート３と、このフロート３の外側を包み、外径が変化する径方向の伸縮性を有するシール部材４と、前記フロート３の上面とシール部材４の間に組み込まれ、シール部材４の外径を拡径及び縮径させるための拡径機構５と、フロート３の上面中央位置に設けられ、前記拡径機構５を拡径弾性に抗して縮径状態に保持し、この保持を解くことでシール部材４の外径を自動的に拡径させることができる縮径保持機構６とで形成されている。
【００２９】
上記フロート３は、金属やプラスチック等を用い、フラットな円形上壁３ａの下面側に、外周から下方中央に突出する円錐壁３ｂを設け、内部が空洞となって浮力を確保した円錐体に形成され、前記円形上壁３ａの外径はオイル収納容器１における周壁１ａの内径よりも小径になっている。
【００３０】
上記シール部材４は、ゴムやシリコンのような伸縮性と遮水性があり、オイルａと接触しても劣化の発生が少なく、オイルａに有害物質が溶け出ることのない弾性材料を用い、上記フロート３の外側全体を包むような比較的薄い膜状の構造になっており、フロート３の円錐壁３ｂの外面に重なる薄い円錐部４ａと、この円錐部４ａの外周からフロート３の上面よりも上方に立ち上がる少し厚みを持たせた円筒状のシール部４ｂと、前記シール部４ｂの上端と連なってフロート３の円形上壁３ａを覆う円板状の上板部４ｃとで形成され、前記円筒状のシール部４ｂがフロート３の外周に対して上部に位置している。
【００３１】
上記拡径機構５は、フロート３の円形上壁３ａとシール部材４の上板部４ｃ間に設けた隙間に組み込まれ、外径が可変となる羽根板リング７と、この羽根板リング７に常時拡径する方向の弾性を付勢するスプリング８からなり、前記羽根板リング７は、複数枚の羽根板９を平面円形のリング状に並べることにより形成され、フロート３と平面的に同軸心となるよう配置され、各羽根板リング７を半径方向に移動させることによりリング状配置の外径が変化し、縮径状態でシール部４ｂの押し広げを解き、拡径状態でシール部４ｂを内側から押し広げるように形成されている。
【００３２】
図６のように、羽根板９は、金属やプラスチック等を用い、平面扇形板９ａの内径縁側に低い立ち上がり片９ｂを設けた形状を有し、複数枚、例えば図４と５の場合８枚の羽根板９を周方向の一部が重なるように平面円形のリング状に配置して羽根板リング７を形成し、各羽根板９は、この羽根板９の半径方向に沿って設けた長孔１０と、この長孔１０に嵌るよう、フロート３の円形上壁３ａに設けた断面長円状のガイドピン１１によって、半径方向の移動が誘導されるようになっている。
【００３３】
図１と図４は、各羽根板９が半径方向の内側に集合し、羽根板リング７の外径が最も小さい縮径状態を示し、羽根板リング７の外径はシール部４ｂの内径よりも小径となり、シール部４ｂは収縮弾性によりその内径がフロート３の外径にまで縮まり、このシール部４ｂの外径はオイル収納容器１の周壁１ａの内径よりも少し小径となり、従って、オイル収納容器１の周壁１ａ内に対して蓋部材２の出し入れを自由にしている。
【００３４】
各羽根板９は、上記フロート３の上面中央にシール部材４の上板部４ｃを貫通するよう突設した筒体１２の外周と、各羽根板９の立ち上がり片９ｂの間に縮設したスプリング８により、半径方向外側に向けての移動弾性が付勢され、羽根板リング７が拡径すると、図３のように、各羽根板９は円弧状となる外周縁でシール部材４のシール部４ｂを内側から押し広げ、前記シール部４ｂを拡径状態にすることで周壁１ａの内周面に圧接させることになる。
【００３５】
上記縮径保持機構６は、フロート３の上面中央位置にシール部材４の上板部４ｃを貫通するよう突設した筒体１２の上端に凹欠部１３を設け、この筒体１２の上部に上下動と回転が可能となるよう挿入した操作摘み１４の軸部外面に係止ピン１５を設け、図１のように、操作摘み１４を引上げて係止ピン１５を筒体１２の上端に位置させた上昇位置と、図２のように、係止ピン１５を凹欠部１３に落とし込んだ下降位置とにすることができる構造になっている。
【００３６】
上記操作摘み１４の軸部下端と各羽根板９の立ち上がり片９ｂが、筒体１２内に納まる可撓性連結部材であるワイヤーや紐１６を用いて連結され、図１のように、係止ピン１５を筒体１２の上端に係止させて操作摘み１４を上昇位置にすると、ワイヤーや紐１６によって各羽根板９は半径方向の内側に引圧され、図４で示したように、羽根板リング７は縮径状態に保持され、また、図２のように、操作摘み１４を回転操作することで係止ピン１５を凹欠部１３に落とし込んだ下降位置にすると、図５で示したように、各羽根板９の引圧が解かれることで羽根板リング７は拡径することになる。なお、ワイヤーや紐１６は、筒体１２の内側下部に設けた誘導部１７によって折れ曲がり部分が誘導されている。
【００３７】
上記蓋部材２において、フロート３によって得られる蓋部材２全体の浮力は、オイル収納容器１内のオイル油面に対して蓋部材２が浮上する状態で、シール部材４におけるシール部４ｂの周囲下部がオイル油面に一致するように設定されており、浮力はフロート３の空洞の大きさを設定によって行え、浮力の調整はフロート３内に固形や液体のウエイトを設ける等の手段によって調整することができる。
【００３８】
また、上記オイル収納容器１における周壁１ａの内径と上記蓋部材２に設けたシール部４ｂの外径の関係は、シール部材４が縮径状態にあるとき周壁１ａの内径よりも小径となり、オイル収納容器１に対する蓋部材２の出し入れを自由にしていると共に、シール部材４は最大拡径の途中でシール部４ｂが周壁１ａの内径に圧接し、周壁１ａ内を密閉するように設定され、オイル収納容器１は、このような条件を満たすものであれば既存のものを適宜選択して使用することができる。
【００３９】
なお、オイル収納容器１内に挿入した蓋部材２の上下動の安定化を図るため、図示省略したが、オイル収納容器１の上端に例えば透明のキャップを被せて取付け、このキャップに設けた中央孔で蓋部材２の筒体１２を保持し、蓋部材２の上下動を誘導するようにしてもよい。
【００４０】
この発明の酸化防止用オイルポットは、上記のような構成であり、オイル収納容器１内に収納した食用等のオイルａを保存するには、蓋部材２をシール部４ｂが縮径状態となるよう予めセットしておく。
【００４１】
蓋部材２のシール部４ｂを縮径状態にするには、図１のように、操作摘み１４を筒体１２に対して引き上げ、係止ピン１５を筒体１２の上端に係止すればよく、操作摘み１４の引上げによって各羽根板９はワイヤーや紐１６で半径方向内側に引圧され、スプリング８が圧縮されることになり、図４で示したように、羽根板リング７は縮径状態に保持され、シール部４ｂは自身の収縮弾性で縮径状態になる。
【００４２】
図１のように、オイルａを所定量収納したオイル収納容器１内に蓋部材２を上から水平に挿入し、フロート３の下部をオイルａに浸入させることでこの蓋部材２を油面上に浮上させる。
【００４３】
上記フロート３は下部が円錐形になっているので、下部をオイルａに浸入させると、油面と蓋部材２の間にある空気は蓋部材２の外周上部に向けて流出し、油面と蓋部材２の界面に空気や気泡が残るようなことがなく、蓋部材２の浸入によって上昇した油面上に蓋部材２を浮上させると、蓋部材２の設定した浮力により油面はシール部４ｂの下縁に一致する高さになる。
【００４４】
この状態で、蓋部材２を筒体１２の部分で保持して操作摘み１４を回動させ、係止ピン１５を凹欠部１３に落ち込ませると、羽根板リング７の縮径状態の保持が解かれ、羽根板リング７の各羽根板９はスプリング８の押圧弾性で半径方向外方へ移動し、図２と図３及び図５のように、羽根板リング７が拡径することで各羽根板９の外側縁でシール部４ｂを外方に押し、これにより、シール部４ｂは拡径して外周面が周壁１ａの内周面に圧接する。
【００４５】
上記蓋部材２は、シール部４ｂの下縁と油面の高さが一致した状態でシール部４ｂが拡径して周壁１ａ内を密閉するので、シール部４ｂと周壁１ａの間に空気の閉じ込めはなく、これによって、オイルａの油面と蓋部材２の間から空気を完全になくし、オイル収納容器１内に収納したオイルａを蓋部材２によって空気から遮断した状態で保存することができ、オイルａの酸化による劣化発生を防ぐことができる。
【００４６】
また、オイル収納容器１内に収納したオイルａを使用する場合は、蓋部材２を保持した状態で操作摘み１４を筒体１２に対して引き上げて回動させ、凹欠部１３から抜けた係止ピン１５を筒体１２の上端に係止させればよく、操作摘み１４の引き上げにより各羽根板９が半径方向内側に引かれ、羽根板リング７は縮径状態に保持されてシール部４ｂが収縮し、周壁１ａから離反するので、オイル収納容器１の内部から蓋部材２を上方に抜き取るようにすればよい。
【符号の説明】
【００４７】
Ａ          酸化防止用オイルポット
１          オイル収納容器
１ａ        周壁
１ｂ        傾斜部
２          蓋部材
３          フロート
４          シール部材
４ａ        円錐部
４ｂ        シール部
４ｃ        上板部
５          拡径機構
６          縮径保持機構
７          羽根板リング
８          スプリング
９          羽根板
９ａ        平面扇形板
９ｂ        立ち上がり片
１０        長孔
１１        ガイドピン
１２        筒体
１３        凹欠部
１４        操作摘み
１５        係止ピン
１６        ワイヤーや紐
１７        誘導部
ａ          オイル
【図１】
2012090673.tif 000003
【図２】
2012090673.tif 000004
【図３】
2012090673.tif 000005
【図４】
2012090673.tif 000006
【図５】
2012090673.tif 000007
【図６】
2012090673.tif 000008